(57)【要約】【課題】蝶番の端部に見栄えが良い曲面が設けられた印章ケース用の枠体と、この枠体を用いた印章ケースを提供する。【解決手段】印章ケース１０は、収納部１４，１６と、枠体１２とを備える。枠体１２は、一対の枠部材１８，２０と、枠部材１８，２０にそれぞれ設けられた円筒部材２８ａ，２８ｂ，４２ａ，４２ｂと、枠部材１８，２０にそれぞれ設けられた口金２４，２６と、円筒部材２８ａ，２８ｂ，４２ａ，４２ｂに挿入され、円筒部材２８ａ，４２ｂでかしめられた長板４４と、円筒部材２８ａ，４２ｂにそれぞれ挿入され、頭部に曲面を有するピン４６，４８とを備える。ピン４６，４８は、圧入によって、円筒部材２８ａ，４２ｂにそれぞれ挿入されていることが好ましい。【選択図】図１
0003155465.tif 000002
【実用新案登録請求の範囲】
【請求項１】
一対の枠部材と、
前記一対の枠部材にそれぞれ設けられた円筒部材と、
前記一対の枠部材にそれぞれ設けられた口金と、
前記円筒部材に挿入され、前記円筒部材のうち少なくとも両端の円筒部材でかしめられた長板と、
前記両端の円筒部材に挿入され、頭部に曲面を有するピンと、
を有する印章ケース用の枠体。
【請求項２】
請求項１に記載の枠体において、
前記ピンは、前記両端の円筒部材に圧入されている印章ケース用の枠体。
【請求項３】
請求項１または２に記載の枠体と、
前記一対の枠部材にそれぞれ設けられた収納部と、
を有する印章ケース。
【考案の詳細な説明】
【技術分野】
【０００１】  本考案は、蝶番の両端部に曲面を有する印章ケースの枠体と、この枠体を用いた印章ケースに関するものである。
【背景技術】
【０００２】  内部に板バネが挿入された蝶番を備える印章ケースが知られている。このような印章ケースの枠体８０の組み立て前の構造を図３に示す。図３に示すように、枠体８０は、枠部材８２，８４と、円筒部材８６ａ，８６ｂ，８８ａ，８８ｂと、口金９０，９２と、長板９４とを備える。これら枠体８０の部材は、いずれも金属製である。円筒部材８６ａ，８６ｂは、枠部材８２にロウ付けされており、円筒部材８８ａ，８８ｂは、枠部材８４にロウ付けされている。円筒部材８６ａ，８６ｂ，８８ａ，８８ｂと長板９４とで蝶番９６を構成する。【０００３】  これらの部材を用い、次のようにして枠体８０を組み立てる。まず、図４（ａ）に示すように、円筒部材８６ａ，８６ｂが接合された枠部材８２と、円筒部材８８ａ，８８ｂが接合された枠部材８４を位置合わせして、円筒部材８６ａ，８８ａ，８６ｂ，８８ｂを一列に配置する。【０００４】  つぎに、図４（ｂ）に示すように、円筒部材８６ａ，８８ａ，８６ｂ，８８ｂの内部に、長板９４をその全体が隠れるように挿入する。このとき、長板９４の平面と枠部材８２，８４の平面の向きが一致する。そして、図４（ｃ）に示すように、円筒部材８６ａ，８８ｂの中央付近をかしめて、長板９４が内部に固定された蝶番９６を作製する。【０００５】  図５は、このようにして組み立てられた枠体８０を示す。図５に示すように、枠体８０の蝶番９６の端部は、金属製の円筒の開口部９８が露出している。このため、枠体８０を備える印章ケースを衣服のポケット等に入れておいた場合、印章ケースを取り出すときにこの開口部がポケット等の内側で引っ掛かることがある。また、枠体８０を備える印章ケースを取り扱うときに、この開口部が手に当たり不快を感じることがある。【０００６】  ところで、蝶番に工夫を施した印章ケースも知られている（特許文献１）。上記枠体８０の蝶番９６の開口部９８に工夫を施す手法として、この端部をスポット溶接して丸みを形成することも考えられるが、印章ケースの蝶番は小さいため、見栄え良く溶接するのは難しい。
【先行技術文献】
【特許文献】
【０００７】
【特許文献１】実用新案登録第３１２２４９１号公報
【考案の概要】
【考案が解決しようとする課題】
【０００８】  本考案は以上の問題点に鑑みてなされたものであり、蝶番の端部に見栄えが良い曲面が設けられた印章ケースの枠体と、この枠体を用いた印章ケースを提供することを目的とする。
【課題を解決するための手段】
【０００９】  本考案のある態様は、一対の枠部材と、一対の枠部材にそれぞれ設けられた円筒部材と、一対の枠部材にそれぞれ設けられた口金と、円筒部材に挿入され、円筒部材のうち少なくとも両端の円筒部材でかしめられた長板と、前記両端の円筒部材に挿入され、頭部に曲面を有するピンとを有する印章ケース用の枠体である。この枠体は、ピンが両端の円筒部材に圧入されていることが好ましい。【００１０】  本考案の他の態様は、上記の枠体と、上記の一対の枠部材にそれぞれ設けられた収納部とを有する印章ケースである。
【考案の効果】
【００１１】  本考案によれば、印章ケースの枠体の蝶番の端部に見栄えが良い曲面を設けることができる。
【図面の簡単な説明】
【００１２】
【図１】本考案の実施形態に係る印章ケースの斜視図である。
【図２】本考案の実施形態に係る印章ケースの蝶番部分の組み立て前における斜視図である。
【図３】従来の印章ケースの枠体の組み立て前の上面図である。
【図４】従来の印章ケースの枠体の組み立て方法を説明するための上面図である。
【図５】従来の印章ケースの斜視図である。
【考案を実施するための形態】
【００１３】  以下、図面を参照しながら、本考案の実施形態に係る印章ケースの枠体と、この枠体を用いた印章ケースについて説明する。なお、図面の寸法比は、実物の印章ケースの枠体や印章ケースの寸法比と必ずしも一致していない。また、印章ケースの枠体は印章ケースの部品として説明する。さらに、従来の印章ケースの枠体と同じ個所や、本実施形態で再出する個所の重複説明は適宜省略する。
【００１４】  図１は、本考案の実施形態に係る印章ケース１０を示す。印章ケース１０は、枠体１２と、印章の収納部である半容器１４，１６とを備える。枠体１２は、一対の枠部材１８，２０と、蝶番２２と、枠部材１８，２０にそれぞれ設けられた口金２４，２６とを備える。枠部材１８，２０は、内周と外周がおおよそ長方形である環状板部材から構成される。
【００１５】  蝶番２２は、円筒部材２８ａ，２８ｂ，４２ａ，４２ｂと、長板４４と、ピン４６，４８とで構成される。円筒部材２８ａ，２８ｂ，４２ａ，４２ｂと長板４４を介して、枠部材１８，２０は連結されている。本実施形態では円筒部材は４個だが、円筒部材は２個以上あれば良い。
【００１６】  長板４４は、細長い板状の部材であり、円筒部材２８ａ，２８ｂ，４２ａ，４２ｂに挿入され、円筒部材２８ａ，４２ｂのおおよそ中央の位置でかしめられている。また、長板４４は板バネとして作用する。すなわち、口金２４，２６を重ね合わせて印章ケース１０を閉じたとき、長板４４は、円筒部材２８ａのかしめ位置から円筒部材４２ｂのかしめ位置の範囲でねじれた状態を保っている。この状態で口金２４，２６を外すと、長板４４の復元力によって、図１に示すように印章ケース１０が開く。
【００１７】  図２は、ピン４６が円筒部材２８ａに挿入される前の状態を示す。ピン４８は、円筒部材４２ｂにも挿入されるが、ピン４６と同じであるため説明を省略する。本実施形態では、ピン４６は円筒部材２８ａに圧入されている。圧入法によれば、円筒部材２８ａにピン４６を確実に挿入でき、蝶番２２の見栄えが良く、しかもピン４６を一度挿入したら円筒部材２８ａから抜けることがほとんどない。
【００１８】  ピン４６は、頭部５０と、針部５２とを備える。頭部５０には、おおよそ円柱と半球を合わせたような曲面が形成されている。頭部５０が丸みを帯びていれば、頭部５０に形成される曲面の形状は問わない。このように頭部５０に曲面を有するため、ピン４６，４８が円筒部材２８ａ，４２ｂにそれぞれ挿入された印章ケース１０は、衣服のポケット内等で引っ掛かることがほとんどない。また、印章ケース１０を取り扱うときに、円筒部材２８ａ，４２ｂの開口部が手に当たる不快感がない。
【００１９】  針部５２の外径は、円筒部材２８ａの内径よりほんの少しだけ大きい。円筒部材２８ａの軸方向に沿ってピン４６の針部５２を挿入していくと、円筒部材２８ａの内周面と針部５２の外周面との間で圧力が生じながら針部５２は進んで行く。このようにして針部５２の全てが円筒部材２８ａに挿入されたら、針部５２と円筒部材２８ａが密着しているため、ピン４６は円筒部材２８ａから抜けにくくなる。
【００２０】  なお、ピン４６は、圧入法以外にも、接着、溶着等の手法により、円筒部材２８ａに挿入することができる。接着法では、例えば、針部５２の外周または円筒部材２８ａの内周に接着剤を塗った後、ピン４６を円筒部材２８ａに挿入して固定する。溶着法では、例えば、ピン４６を円筒部材２８ａに挿入した後、円筒部材２８ａを加熱して、ピン４６を円筒部材２８ａに固定する。
【００２１】  図４に示す方法と同様にして、円筒部材２８ａ，４２ｂにピン４６，４８を挿入する前の枠体１２を作製した後、上記の手順によってピン４６を円筒部材２８ａ，４２ｂに挿入して枠体１２を作製し、そして、印章の収納部である半容器１４，１６を枠体１２に取り付けて図１に示すような印章ケース１０が製造される。半容器１４，１６の材質は、例えば、布、プラスチック等である。半容器１４，１６には、印章を収容するための凹部を設けたり、朱肉を設置したりしても良い。
【符号の説明】
【００２２】１０  印章ケース
１２，８０  枠体
１４，１６  半容器
１８，２０，８２，８４  枠部材
２２，９６  蝶番
２４，２６，９０，９２  口金
２８ａ，２８ｂ，４２ａ，４２ｂ，８６ａ，８６ｂ，８８ａ，８８ｂ  円筒部材
４４，９４  長板
４６，４８  ピン
５０  頭部
５２  針部
【図１】
0003155465.tif 000003
【図２】
0003155465.tif 000004
【図３】
0003155465.tif 000005
【図４】
0003155465.tif 000006
【図５】
0003155465.tif 000007